(57)【要約】【課題】  音声対応の装置の使い勝手を向上させる。【解決手段】  キー入力手段と表示手段から構成されるマンマシンインターフェース装置において、前記キー入力手段によって入力されたキーに対応する機能を音声出力する音声出力手段と、前記キー入力手段によってキー入力されてから、次にキー入力されるまでの時間を計数するタイマー手段と、前記タイマー手段からの出力とあらかじめ定められた時間とを比較する比較手段と、を有し、前記比較手段からの出力に応じて、前記音声出力手段を制御する。【選択図】  図８
2006162851.tif 000002
【特許請求の範囲】
【請求項１】
キー入力手段と表示手段から構成されるマンマシンインターフェース装置において、
前記キー入力手段によって入力されたキーに対応する機能を音声出力する音声出力手段と、
前記キー入力手段によってキー入力されてから、次にキー入力されるまでの時間を計数するタイマー手段と、
前記タイマー手段からの出力とあらかじめ定められた時間とを比較する比較手段と、
前記比較手段からの出力に応じて、前記音声出力手段を制御する制御手段とを有することを特徴とするマンマシンインターフェース装置。
【請求項２】
キー入力手段と表示手段から構成されるマンマシンインターフェース装置において、
前記キー入力手段によって入力されたキーに対応する機能を音声出力する音声出力手段と、
前記キー入力手段によってキー入力されてから、次にキー入力されるまでの時間を計数するタイマー手段と、
前記キー入力手段により設定を行う時間設定手段と、
前記タイマー手段からの出力と前記時間設定手段により設定された時間とを比較する比較手段と、
前記比較手段からの出力に応じて、前記音声出力手段を制御する制御手段とを有することを特徴とするマンマシンインターフェース装置。
【請求項３】
請求項１または請求項２記載のマンマシンインターフェース装置であって、前記装置は、画像をシートに形成可能な画像形成装置を含むことを特徴とするマンマシンインターフェース装置。
【発明の詳細な説明】
【技術分野】
【０００１】
本発明は複写機等のOA機器、PC等の操作を行うためのマンマシンインターフェース装置に関するものである。
【背景技術】
【０００２】
従来、この様なマンマシンインターフェース装置において、障害を持つ操作者も健常者と同様に操作が可能なように、操作キーを押すとその操作キーの意味を読み上げ、発声するように構成されたものが検討されつつある。
【特許文献１】特開２００３−３４８２８３
【発明の開示】
【発明が解決しようとする課題】
【０００３】
しかしながら、操作キーを押す時間間隔が極端に短い場合においても、常にキーの読み上げ動作が行われると、音声の最初の部分だけがキー入力の度に読み上げられてしまい、操作者によっては不必要な音声がうるさく感じられる可能性があり、使い勝手が悪い。例えば、用紙選択キー、縮小キー、拡大キーの順に押した時、個々の音声出力が終了してからキーを押せば「用紙選択キーです。」「縮小キーです。」「拡大キーです。」と順に音声出力するが、操作キーを押す時間間隔が極端に短い場合には「用紙」「縮小」「拡大キーです。」の様に音声出力されてしまう。
【課題を解決するための手段】
【０００４】
本発明は、上記課題を解決するために、キー入力手段と表示手段から構成されるマンマシンインターフェース装置において、前記キー入力手段によって入力されたキーに対応する機能を音声出力する音声出力手段と、前記キー入力手段によってキー入力されてから、次にキー入力されるまでの時間を計数するタイマー手段と、前記タイマー手段からの出力とあらかじめ定められた時間とを比較する比較手段と、前記比較手段からの出力に応じて、前記音声出力手段を制御する制御手段とを有することによって前記の問題点を解決しようとするものである。
【０００５】
また、さらにキー入力手段と表示手段から構成されるマンマシンインターフェース装置において、前記キー入力手段によって入力されたキーに対応する機能を音声出力する音声出力手段と、前記キー入力手段によってキー入力されてから、次にキー入力されるまでの時間を計数するタイマー手段と、前記キー入力手段により設定を行う時間設定手段と、前記タイマー手段からの出力と前記時間設定手段により設定された時間とを比較する比較手段と、前記比較手段からの出力に応じて、前記音声出力手段を制御する制御手段とを有することによっても前記の問題点を解決しようとするものである。
【発明の効果】
【０００６】
以上、説明したように本発明では、音声キーを押して、音声出力状態にした後、キー入力してからそのキーの音声出力をするまでの時間をあけてその間に次のキー入力があった場合には音声出力をしない様に構成した。また、その時間に関しては操作者が自由に設定できる構成とした。以上の様な構成としたので、操作キーを押す時間間隔が極端に短い場合においても適切な音声のみが読み上げられるようになり、キー入力による音声読み上げ機能の使い勝ってが向上する。
【発明を実施するための最良の形態】
【０００７】
以下に、図面を参照して本発明の実施例を説明する。
【０００８】
図１は本発明のマンマシンインターフェース装置140のブロック図である。
【０００９】
401はマンマシンインターフェース装置全体の制御を行うCPUであり、装置の制御手順（制御プログラム）を記憶した読み取り専用メモリ403（ROM）からプログラムを順次読み取り、実行する。CPU401のアドレスバスおよびデータバスは402のバスドライバー回路、アドレスデコーダ回路をへて各負荷に接続されている。また、404は入力データの記憶や作業用記憶領域等として用いる主記憶装置であるところのランダムアクセスメモリ（RAM）である。405はI/Oインターフェースであり、キー及びLEDにて構成されるキー/LED部222からのキー入力、LEDへの出力のインターフェースである。219は表示をおこなうLCD221への表示データをコントロールするLCDコントローラであり、表示用のバッファメモリ(VRAM)に一時的に表示データを蓄積し、LCD221に表示データを転送する。216は音声入出力ユニットであり、後述するがハンドセット217からの音声入出力、スピーカー217への音声出力のための回路を備えている。CPU401はバスを介して音声データの入出力を行う。また、406は外部CPUとの通信用のDPRAM（デュアルポートRAM）であり、このRAMを介して、外部CPUとデータのやり取りを行う。
【００１０】
図２は音声入出力ユニット216の詳細を示すブロック図である。
【００１１】
音声入出力ユニット216は、CPU503からCPUバスを介して入力された音声データをスピーカー217もしくはハンドセット218から音声出力する回路と、ハンドセット218から音声入力された音声データをCPU503に対しCPUバスを介して入力する回路から構成される。503は音声入出力ユニット216の制御を行うCPUであり、装置の制御手順（制御プログラム）を記憶した読み取り専用メモリ504（ROM）からプログラムを順次読み取り、実行する。また、505は入力データの記憶や作業用記憶領域等として用いる主記憶装置であるところのランダムアクセスメモリ（RAM）である。506はマンマシンインターフェース装置全体の制御を行うCPU401との通信用のDPRAM（デュアルポートRAM）であり、このRAMを介して、CPU401とデータのやり取りを行う。
【００１２】
217はスピーカーであり、アンプ528から入力されたアナログ信号を音声出力する。218はハンドセットであり、アンプ527から入力されたアナログ信号の音声出力と、音声入力したアナログ信号をアンプ537への出力と、ハンドセット218のオンフック、オフフック検知信号をレジスタ制御部513への出力を行う。511はバスI/F制御部であり、FIFO 521、531への読み書きタイミングを生成させる為にタイミング制御部512へ制御信号を入力し、CPU503のCPUバスとFIFO 521、531間の音声データのやり取りを行う。また、レジスタ制御部513の各種レジスタへの読み書きと、割り込み生成部515によって入力された割り込み信号をもとにCPU503へ割り込みも行う。512はタイミング制御部であり、バスI/F制御部511の制御信号とレジスタ制御部513のコントロールレジスタとステータスレジスタに従ってFIFO 521、531への読み書きのタイミング制御を行うものである。また、FIFO 521、531の書込み位置、読出し位置を示すアドレスをレジスタ制御部513のカウンタレジスタとして持ち、そのカウントアップ制御も行う。513はレジスタ制御部であり、バスI/F制御部511、タイミング制御部512、アンプON_OFF制御部514、割り込み生成部515、A/D,D/A制御部516、データ変換部522、524、532、534、補間部523、間引き部533で利用されるステータスレジスタ、コントロールレジスタ、カウンタレジスタを含み、これらレジスタの制御も行う。この制御例として、ハンドセット218から入力されたオンフック、オフフック検知信号によってステータスレジスタのON_OFFを切り換えたり、FIFO 521、531の書込み位置、読出し位置を示すカウンタレジスタがFIFOサイズに達した時にステータスレジスタを立てたり、音声入出力ユニット216の処理終了を示すステータスレジスタを立てたりすることが挙げられる。514はアンプON_OFF制御部であり、レジスタ制御部513のコントロールレジスタに従ってアンプ527、528、537のON_OFF制御を行う。このコントロールレジスタはバスI/F制御部511を介し、CPU503から制御される。また、オンフック、オフフックを示すステータスレジスタによってON_OFF制御される場合もある。515は割り込み生成部であり、レジスタ制御部513のステータスレジスタのステータスに変化があったときに割り込み信号を生成し、バスI/F制御部511を介してCPU503に割り込み信号を出力する。ここで、割り込み信号を生成する例として、ハンドセット502のオンフック、オフフック検知したとき、FIFO 521、531の読み書きが終了したとき、音声入出力ユニット216の処理が終了したときなどが挙げられる。516はA/D,D/A制御部であり、レジスタ制御部513のコントロールレジスタに従ってD/A変換部525 とA/D変換部535のサンプリング周波数変更、ON_OFF制御、変換開始制御を行う。このコントロールレジスタはバスI/F制御部511を介し、CPU503から制御される。また、オンフック、オフフックを示すステータスレジスタによってON_OFF制御される場合もある。521、531はFIFO(First In First Out)であり、音声データ用のバッファメモリである。ここで、このFIFOはダブルバッファ構成であってもよい。522、524、532、534はデータ変換部であり、補間部523あるいは間引き部533のようにデータ処理で使用するデータ幅と、FIFO 521、531あるいはD/A変換部525 、A/D変換部535とのデータ幅を合わせるためのデータ変換部である。この変換部は全てが同じデータ幅で処理されている場���には不要となる。523は補間部であり、D/A変換部525でのサンプリング周波数よりも音声データのサンプリング周波数が小さくデータ量が少ないときにデータ補間するものである。また、レジスタ制御部513のコントロールレジスタに従い補間方法を変える。このコントロールレジスタはバスI/F制御部511を介し、CPU503から制御される。525はD/A変換部であり、A/D,D/A制御部516で設定されたサンプリング周波数に従い、デジタル信号をアナログ信号へ変換するものである。526、536はLPF(Low Pass Filter)であり、高周波成分をカットするフィルタである。ここで、LPF526のカットオフ周波数はD/A変換部525のサンプリング周波数の1/2以下の周波数で、LPF536のカットオフ周波数はA/D変換部535のサンプリング周波数の1/2以下の周波数である。527、528、537はアンプであり、信号増幅をするもので、アンプON_OFF制御部514によってON_OFFが制御される。533は間引き部であり、A/D変換部535でのサンプリング周波数よりも音声データのサンプリング周波数が小さくデータ量が少ないときにデータ間引きするものであり。また、レジスタ制御部513のコントロールレジスタに従い間引き方法を変える。535はA/D変換部であり、A/D,D/A制御部516で設定されたサンプリング周波数に従いアナログ信号をデジタル信号へ変換する。
【００１３】
図３は本発明のマンマシンインターフェース装置を使用した画像形成装置の構成を説明する断面図である。
【００１４】
101は原稿台ガラスであり、原稿自動送り装置142から給送された原稿が順次、所定位置に載置される。102は例えばハロゲンランプから構成される原稿照明ランプで、原稿台ガラス101に載置された原稿を露光する。103、104、105は走査ミラーであり、図示しない光学走査ユニットに収容され、往復動しながら、原稿からの反射光をCCDユニット106に導く。CCDユニット106はCCDに原稿からの反射光を結像させる結像レンズ107、例えばCCDから構成される撮像素子108、撮像素子108を駆動するCCDドライバ109等から構成されている。撮像素子108からの画像信号出力は例えば８ビットのデジタルデータに変換された後、コントローラ部139に入力される。また、110は感光ドラムであり、112の前露光ランプによって画像形成に備えて除電される。113は１次帯電器であり、感光ドラム110を一様に帯電させる。117は露光手段であり、例えば半導体レーザー等で構成され、画像形成や装置全体の制御を行うコントローラ部139で処理された画像データに基づいて感光ドラム110を露光し、静電潜像を形成する。118は現像器であり、黒色の現像剤（トナー）が収容されている。119は転写前帯電器であり、感光ドラム110上に現像されたトナー像を用紙に転写する前に高圧をかける。120、122、124は給紙ユニットであり、各給紙ローラ121、123、125の駆動により、転写用紙が装置内へ給送され、レジストローラ126の配設位置で一旦停止し、感光ドラム110に形成された画像との書き出しタイミングがとられ再給送される。127は転写帯電器であり、感光ドラム110に現像されたトナー像を給送される転写用紙に転写する。128は分離帯電器であり、転写動作の終了した転写用紙を感光ドラム110より分離する。転写されずに感光ドラム110上に残ったトナーはクリーナー111によって回収される。129は搬送ベルトで、転写プロセスの終了した転写用紙を定着器130に搬送し、例えば熱により定着される。131はフラッパであり、定着プロセスの終了した転写用紙の搬送パスを、ステイプルソーター132または中間トレイ137の配置方向のいずれかに制御する。ステイプルソーター132に排紙された用紙は各ビンに仕分けされ、コントローラ部139からの指示により141のステイプル部141がステイプルを行う。また、133〜136は給送ローラであり、一度定着プロセスの終了した転写用紙を中間トレイ137に反転（多重）または非反転（両面）して給送する。138は再給送ローラであり、中間トレイ137に載置された転写用紙を再度、レジストローラ126の配設位置まで搬送する。
【００１５】
139のコントローラ部には後述するマイクロコンピュータ、画像処理部等を備えており、マンマシンインターフェース装置140からの指示に従って、前述の画像形成動作を行う。
【００１６】
図４は画像形成装置におけるコントローラ部139のブロック図である。
【００１７】
201は画像形成装置全体の制御を行うCPUであり、装置本体の制御手順（制御プログラム）を記憶した読み取り専用メモリ203（ROM）からプログラムを順次読み取り、実行する。CPU201のアドレスバスおよびデータバスは202のバスドライバー回路、アドレスデコーダ回路をへて各負荷に接続されている。また、204は入力データの記憶や作業用記憶領域等として用いる主記憶装置であるところのランダムアクセスメモリ（RAM）である。205はI/Oインターフェースであり、操作者がキー入力を行い、装置の状態等を液晶、LEDを用いて表示する140の操作パネルや給紙系、搬送系、光学系の駆動を行うモーター類207、クラッチ類208、ソレノイド類209、また、搬送される用紙を検知するための紙検知センサ類210等の装置の各負荷に接続される。現像器118には現像器内のトナー量を検知する211のトナー残検センサが配置されており、その出力信号がI/Oポート205に入力される。215は高圧ユニットであり、CPU201の指示に従って、前述の１次帯電器113、現像器118、転写前帯電器119、転写帯電器127、分離帯電器128へ高圧を出力する。
【００１８】
206は画像処理部であり、CCDユニット106から出力された画像信号が入力され、後述する画像処理を行い、画像データに従って117のレーザーユニットの制御信号を出力する。レーザーユニット117から出力されるレーザー光は感光ドラム110を照射し、露光するとともに非画像領域において受光センサであるところの213のビーム検知センサによって発光状態が検知され、その出力信号がI/Oポート205に入力される。
【００１９】
図５は画像形成装置におけるコントローラ部139内の画像処理部206のブロック図である。
【００２０】
CCD108により電気信号に変換された画像信号は、まずシェーディング回路301によって画素間のばらつきの補正を行った後、302の変倍回路において、縮小コピー時はデータの間引き処理を行い、拡大コピー時はデータの補間を行う。次に、303のエッジ強調回路において、例えば５×５のウインドウで２次微分を行い、画像のエッジを強調する。この画像データは輝度データであるのでプリンターに出力するための濃度データに変換するため304のγ変換回路でテーブルサーチによりデータ変換を行う。濃度データに変換された画像データは305の２値化処理部へ入力される。ここでは例えばED法により多値データを２値データに変換する。２値に変換された画像データは307の合成回路に入力される。合成回路307では、入力された画像データと例えばDRAMにより構成される画像用メモリ310内の画像データを選択的に出力する、またはORをとって出力する。この画像用メモリ310に対するリードライト制御はメモリ制御部309で行う。これらの画像データはレーザーの発光強度の信号に変換するためPWM回路308へ入力され、画像の濃度に従ったパルス幅をレーザーユニットに対して出力する。
【００２１】
本発明のマンマシンインターフェース装置140の構成を図６に示す。LCD表示部1032は、LCD上にタッチパネルシートが貼られており、システムの操作画面を表示するとともに、表示してあるキーが押されるとその位置情報をCPU401に伝える。図７を用いて表示される画面について後述する。テンキー1028はコピー枚数など、数字の入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００２２】
また、1023はガイドキーであり、キーの機能が解らないとき押すとそのキーの説明が表示される。1024はコピーモードキーであり、複写を行うときに押す。1025はファクスキーであり、ファクスに関する設定を行うときに押す。1026はファイルキーであり、ファイルデータを出力したいときに押す。1027はプリンターキーであり、コンピュータ等の外部装置からのプリント出力に関する設定などを行うときに使用する。
【００２３】
1031は、音声キーであり、音声の入出力を受け付けるときに、キーを押下して設定を行い、設定をオフにする場合には再度、押下して設定を解除することができる。
【００２４】
217はスピーカーで、音声によるガイドがスピーカーを通して出力する。218はハンドセットであり、これを使用して音声を入力したり、音声ガイドを聞くことができる。
【００２５】
図７は、マンマシンインターフェース装置140のLCD表示部に表示される基本画面である。
【００２６】
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。1003はユーザーモードキーであり、モードメモリの登録、標準モード画面の設定がユーザーごとに行える。1004は応用ズームキーであり、原稿のX方向、Y方向を独立に変倍するモード、原稿のサイズと複写サイズから変倍率を計算するズームプログラムのモードに入る。1005、1006、1007はM1キー、M2キー、M3キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。1010はソーターキーであり、ソート出力、グループ出力等のモード設定を行う。1011は原稿混載キーであり、原稿フィーダーにA4サイズとA3サイズ、またはB5サイズとB4サイズの原稿を一緒にセットする際に押す。1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。1019はＡＥキーであり、新聞のように地肌の濃い原稿を自動濃度調整複写するときに押す。1021はHiFiキーであり、写真原稿のように中間調の濃度が多い原稿の複写の際に押す。1022は文字強調キーであり、文字原稿の複写で文字を際立たせたい場合に押下する。1023は音声設定キーであり、音声入出力に関する詳細な設定を行う時に押す。
【００２７】
次に、図８のフローチャート及び図９の表示画面例を用いて本発明のマンマシンインターフェース装置140の詳細な動作について説明する。
【００２８】
まず、CPU401はステップＳ１でマンマシンインターフェース装置140上の音声キー1031が入力されたかどうかを判断する。入力されればステップＳ２で図６及び図７に示したいずれかのキーが入力されたかどうかを判断し、入力された場合、CPU401はステップＳ３で内部に備えているタイマーを起動する。タイマーの設定時間は図９に示した様に、タッチパネル上の音声設定キー1023を押す事により表示される音声詳細設定画面にて設定する。例えばデフォルト値として２秒が設定されており、本実施例では１〜１０までの値をテンキーにより、操作者が設定することができる。ステップＳ４ではステップＳ２と同様にキー入力待ち状態になり、ステップＳ４でキー入力が無い場合、ステップＳ５に進み、ステップＳ３で起動されたタイマーが終了したかどうかを判断する。ステップＳ４でキー入力があった場合はステップＳ３に戻り、再度タイマーを起動させる。ステップＳ５でタイマーが終了していない場合はステップＳ４に戻り、キー入力を判断する。ステップＳ４及びステップＳ５の判断において、次のキー入力が無い状態でタイマーが終了した場合はステップＳ６に進む。ステップＳ６ではCPU401はキー入力の内容をDPRAM506を介してCPU503に送り、CPU503が音声出力データをバスI/F制御部511に送る。そして前述したようにスピーカー217に対して音声データを出力する。
【図面の簡単な説明】
【００２９】
【図１】本発明のマンマシンインターフェース装置の構成を説明するブロック図
【図２】本発明のマンマシンインターフェース装置における音声入出力ユニット216のブロック図
【図３】本発明のマンマシンインターフェース装置を搭載した画像形成装置の概略動作を説明するための断面図
【図４】画像形成装置におけるコントローラ部139のブロック図
【図５】画像形成装置におけるコントローラ部139内の画像処理部206のブロック図
【図６】本発明のマンマシンインターフェース装置の構成を示す概略図
【図７】マンマシンインターフェース装置のLCD表示部に表示される基本画面
【図８】本発明のマンマシンインターフェース装置の詳細な動作を示したフローチャート
【図９】LCD表示部の表示例
【図１】
2006162851.tif 000003
【図２】
2006162851.tif 000004
【図３】
2006162851.tif 000005
【図４】
2006162851.tif 000006
【図５】
2006162851.tif 000007
【図６】
2006162851.tif 000008
【図７】
2006162851.tif 000009
【図８】
2006162851.tif 000010
【図９】
2006162851.tif 000011